(57)【特許請求の範囲】
【請求項１】
排水トラップと、床材、及び前記床材に接続される脚部を有する床材ユニットと、を設置するために用いられる浴室施工用の型紙であって、
前記型紙の水平方向の設置箇所の指標となる目印表示部と、
前記排水トラップを設置する位置を表示するトラップ位置表示部と、
前記脚部を設置する位置を表示する脚部位置表示部と、を備える浴室施工用の型紙。
【請求項２】
前記脚部位置表示部は、貫通穴である請求項１に記載の浴室施工用の型紙。
【請求項３】
請求項１又は２に記載の浴室施工用の型紙と、
前記トラップ位置表示部に配置され、前記排水トラップの水平方向の位置を規制するトラップ設置枠体と、を備える浴室施工キット。
【請求項４】
前記トラップ設置枠体は、前記排水トラップの高さの位置を調整可能である請求項３に記載の浴室施工キット。
【請求項５】
請求項１又は２に記載の浴室施工用の型紙と、
前記目印表示部に配置され、垂直に立ち上がる垂直面を有し、前記型紙の水平方向の位置を決めるために用いられる位置決め部材と、を備える浴室施工キット。
【請求項６】
排水トラップと、床材、及び前記床材に接続される脚部を有する床材ユニットと、を設置するために用いられる浴室施工用の型紙であって、
前記型紙の水平方向の設置箇所の指標となる目印表示部と、
前記排水トラップを設置する位置を表示するトラップ位置表示部と、
前記脚部を設置する位置を表示する脚部位置表示部と、を備える型紙を用いて施工する浴室の施工方法であって、
前記目印表示部に基づいて、前記型紙を浴室に配置する第１工程と、
前記排水トラップを前記型紙の前記トラップ位置表示部に設置する第２工程と、
前記排水トラップに接続される排水管を前記脚部位置表示部を避けるように設置する第３工程と、
前記床材ユニットの前記脚部を前記脚部位置表示部に設置する第４工程と、を備える浴室の施工方法。
【発明の詳細な説明】
【技術分野】
【０００１】
本発明は、浴室施工用の型紙、浴室施工キット及び浴室施工方法に関する。
【背景技術】
【０００２】
従来、浴室の施工において、躯体仕様の違い等により躯体床部の排水口の位置が異なっても対応可能な浴室の床の排水構造を採用している技術が知られている（例えば、特許文献１参照）。また、便器を設置する位置を表示した型紙が知られている（例えば、特許文献２参照）。
【先行技術文献】
【特許文献】
【０００３】
【特許文献１】特開２００５−６０９８０号公報
【特許文献２】特許第５６００９７４号公報
【発明の概要】
【発明が解決しようとする課題】
【０００４】
特許文献１に記載の技術では、躯体仕様の違いのために躯体床部の排水口と浴室の床の排出孔との接続構造を工夫している。一方、特許文献２に記載の技術では、便器を設置する位置を表示した型紙を利用して、便器をトイレルームに設置する場合に、トイレルームの構造に変化を加えることなく、便器をトイレルームの正確な位置に設置できる。しかし、特許文献２には、浴室の施工に用いられる型紙についての記載はない。
【０００５】
本発明は、浴室の施工に関して、浴室構造の違いによらず、なんら浴室構造に変化を加えることなく、作業性を向上させることができる浴室施工用の型紙、浴室施工キット及び浴室施工方法を提供することを目的とする。
【課題を解決するための手段】
【０００６】
本発明は、排水トラップ（例えば、後述の排水トラップ４０）と、床材（例えば、後述の床材２１）、及び前記床材に接続される脚部（例えば、後述の）を有する床材ユニット（例えば、後述の床材ユニット３０）と、を設置するために用いられる浴室施工用の型紙（例えば、後述の型紙６０）であって、前記型紙の水平方向の設置箇所の指標となる目印表示部（例えば、後述の目印表示部６１）と、前記排水トラップを設置する位置を表示するトラップ位置表示部（例えば、後述のトラップ位置表示部６２）と、前記脚部を設置する位置を表示する脚部位置表示部（例えば、後述の脚部設置穴６３）と、を備える浴室施工用の型紙に関する。
【０００７】
また、前記脚部位置表示部は、貫通穴であることが好ましい。
【０００８】
また、本発明は、浴室施工用の前記型紙と、前記トラップ位置表示部に配置され、前記排水トラップの水平方向の位置を規制するトラップ設置枠体（例えば、後述のトラップ設置枠体７０）と、を備える浴室施工キット（例えば、後述の浴室施工キット５０）に関する。
【０００９】
また、前記トラップ設置枠体は、前記排水トラップの高さの位置を調整可能であることが好ましい。
【００１０】
また、本発明は、浴室施工用の前記型紙と、前記目印表示部に配置され、垂直に立ち上がる垂直面（例えば、後述の垂直面８２ａ）を有し、前記型紙の水平方向の位置を決めるために用いられる位置決め部材（例えば、後述の位置決めコーン８０）と、を備える浴室施工キットに関する。
【００１１】
また、本発明は、排水トラップと、床材、及び前記床材に接続される脚部を有する床材ユニットと、を設置するために用いられる浴室施工用の型紙であって、前記型紙の水平方向の設置箇所の指標となる目印表示部と、前記排水トラップを設置する位置を表示するトラップ位置表示部と、前記脚部を設置する位置を表示する脚部位置表示部と、を備える型紙を用いて施工する浴室の施工方法であって、前記目印表示部に基づいて、前記型紙を浴室に配置する第１工程と、前記排水トラップを前記型紙の前記トラップ位置表示部に設置する第２工程と、前記排水トラップに接続される排水管を前記脚部位置表示部を避けるように設置する第３工程と、前記床材ユニットの前記脚部を前記脚部位置表示部に設置する第４工程と、を備える浴室の施工方法に関する。
【発明の効果】
【００１２】
本発明によれば、浴室の施工に関して、浴室構造の違いによらず、なんら浴室構造に変化を加えることなく、作業性を向上させることができる浴室施工用の型紙、浴室施工キット及び浴室施工方法を提供することができる。
【図面の簡単な説明】
【００１３】
【図１】本発明に係る浴室施工用の浴室施工キットを用いて施工された浴室を示す平面図である。
【図２】浴室の床構造の構成を示す斜視図である。
【図３】本発明に係る浴室施工キットの型紙を示す平面図である。
【図４Ａ】浴室施工キットのトラップ設置枠体を示す斜視図である。
【図４Ｂ】浴室施工キットの位置決めコーンを示す斜視図である。
【図５】浴室施工用の浴室施工キットを用いて床構造を施工する様子を示す図であって、型紙を浴室の所定の設置箇所に配置する様子を示す図である。
【図６】浴室施工用の浴室施工キットを用いて床構造を施工する様子を示す図であって、トラップ設置枠体に排水トラップを設置する様子を示す図である。
【図７】浴室施工用の浴室施工キットを用いて床構造を施工する様子を示す図であって、トラップ設置枠体に排水トラップを設置した後に、床材ユニットを設置する様子を示す図である。
【図８】浴室施工用の浴室施工キットを用いて床構造を施工する様子を示す図であって、排水トラップを床材ユニットに固定する様子を示す図である。
【発明を実施するための形態】
【００１４】
以下、本発明の実施形態について、本発明の一実施形態について、図面を参照して詳しく説明する。図１は、本発明に係る浴室施工用の浴室施工キット５０を用いて施工された浴室を示す平面図である。図２は、浴室１の床構造１０の構成を示す斜視図である。
【００１５】
本発明に係る浴室施工用の浴室施工キット５０は、図２に示すように、浴室１の床構造１０を施工するために用いられる。具体的には、浴室施工用の浴室施工キット５０は、排水トラップ４０と、床材２１、及び床材２１に接続される支持脚部２３を有する床材ユニット３０と、を設置するために用いられる。
【００１６】
図１及び図２に示すように、浴室１は、洗い場２と、浴槽３と、シャワー部４と、カウンタ５と、ドア部６と、を有している。浴槽３は、洗い場２に隣接して設けられ、シャワー部４、カウンタ５及びドア部６は、洗い場２の上部に設けられる。
洗い場２は、浴室１の床構造１０における床材ユニット３０の上面により構成される。浴室１の床構造１０は、図２に示すように、床材ユニット３０と、排水トラップ４０と、排水管としての排水パイプ４４と、を備える。
【００１７】
床材ユニット３０は、図２に示すように、フレーム２０と、床材２１と、２本の補強バー２２，２２と、複数の支持脚部（脚部）２３と、を有する。
フレーム２０は、床材ユニット３０の外周を囲む長方形状の枠体で形成される。
２本の補強バー２２，２２は、フレーム２０の下部において、直線状に延びて形成され、フレーム２０を補強する。２本の補強バー２２，２２は、フレーム２０の対向する長辺の間において、フレーム２０の長辺に平行に延びて配置され、フレーム２０の対向する短辺同士を接続する。
【００１８】
床材２１は、平板状に形成され、フレーム２０の内側において、フレーム２０に固定されている。床材２１の上面は、洗い場２の床の上面を構成する。本実施形態においては、床材２１は、例えば、タイル材で構成されている。床材２１の長手方向の中央における浴槽３側には、排水口２１ａが形成されている。
【００１９】
複数の支持脚部２３は、２本の補強バー２２，２２を介して、床材２１に接続される。複数の支持脚部２３は、２本の補強バー２２，２２の下部から下方に延びる。複数の支持脚部２３は、２本の補強バー２２，２２が延びる方向に沿って並んで配置される。複数の支持脚部２３は、それぞれ高さ（長さ）調整機構を備えている。
【００２０】
排水トラップ４０は、図２に示すように、上面に開口する洗い場用流入口４１と、上面に開口する浴槽用流入口４２と、浴槽３側とは反対方向に開口する流出口４３と、を有する。洗い場用流入口４１は、床材２１の排水口２１ａに接続され、浴槽用流入口４２は、浴槽３の排水口３ａ（図１参照）に接続される。流出口４３は排水パイプ４４に接続される。
【００２１】
次に、浴室施工キット５０について説明する。図３は、本発明に係る浴室施工キット５０の型紙６０を示す平面図である。図４Ａは、浴室施工キット５０のトラップ設置枠体７０を示す斜視図である。図４Ｂは、浴室施工キット５０の位置決めコーン８０を示す斜視図である。
【００２２】
本発明に係る浴室施工キット５０は、型紙６０（図３参照）と、トラップ設置枠体７０（図４Ａ参照）と、位置決め部材としての位置決めコーン８０（図４Ｂ参照）と、を備える。
【００２３】
型紙６０は、図３に示すように、紙材により長方形のシート状に形成される。型紙６０には、目印表示部６１と、トラップ位置表示部６２と、複数の脚部位置表示部としての脚部設置穴６３と、が表示されている。
【００２４】
トラップ位置表示部６２は、排水トラップ４０を設置する位置を表示する。トラップ位置表示部６２には、後述するトラップ設置枠体７０を介して、排水トラップ４０（図２参照）が配置される。トラップ位置表示部６２は、型紙６０の長辺方向の中央部において、型紙６０の短辺方向の一方側（図３における右側）の端部に、形成される。
【００２５】
本実施形態においては、トラップ位置表示部６２は、図３に示すように、印刷により形成され、例えば、外形領域印刷線６２ａと、洗い場用流入口外形印刷線６２ｂと、により表示される。外形領域印刷線６２ａは、排水トラップ４０を配置可能な領域の外形を示す線である。洗い場用流入口外形印刷線６２ｂは、排水トラップ４０の洗い場用流入口４１の外形を示す線である。なお、トラップ位置表示部６２の表示は、適宜変更可能である。例えば、印刷線で表示したものに限られず、位置を表示する点などを印刷したものや、貫通穴や切り欠き穴であってもよい。
【００２６】
複数の脚部設置穴６３は、支持脚部２３（図２参照）を設置する位置を表示する。脚部設置穴６３は、複数の支持脚部２３を配置可能な領域の外形が、型紙６０を貫通する貫通穴により形成される。複数の脚部設置穴６３には、床材ユニット３０の支持脚部２３が配置される。本実施形態においては、脚部設置穴６３の貫通穴は、平面視で、方形状に形成される。なお、脚部設置穴６３の貫通穴は、方形状に限られず、例えば、円形状や多角形状でもよい。また、脚部設置穴６３は、貫通穴に限られず、例えば、印刷により表示してもよい。
【００２７】
目印表示部６１は、型紙６０の水平方向の設置箇所の指標となる表示部である。目印表示部６１は、型紙６０の短辺方向の他方側（図３における左側）に表示される。目印表示部６１は、図３に示すように、脚部設置穴６３の一部により構成される。具体的には、目印表示部６１は、型紙６０の短辺方向の他方側（図３における左側）の脚部設置穴６３において、目印表示部６１の貫通穴の一辺６３ａにより構成される。例えば、段差の側壁面１０１（図５参照）などの壁面から目印表示部６１を構成する一辺６３ａまでの距離を所定の距離となるように位置合わせを行うことで、型紙６０を浴室１の所定の設置箇所に位置させることができる。
【００２８】
なお、本実施形態においては、目印表示部６１を脚部設置穴６３の貫通穴の一部により構成したが、これに限定されない。目印表示部６１を、脚部設置穴６３とは別に設けてもよく、例えば、印刷された目印線などで構成することができる。この場合には、印刷された目印線などに基づいて、型紙６０を所定の設置箇所に配置できる。また、目印表示部６１を表示する位置は、型紙６０の短辺方向の他方側（図３における左側）に限定されない。また、例えば、目印表示部６１は、本実施形態のように型紙６０を矩形状に形成した場合に、型紙６０のコーナ部分であってもよい。
【００２９】
トラップ設置枠体７０は、型紙６０のトラップ位置表示部６２に配置される。トラップ設置枠体７０には、排水トラップ４０（図２参照）が設置される。トラップ設置枠体７０は、排水トラップ４０の水平方向の位置を規制する。トラップ設置枠体７０は、図４Ａに示すように、台紙７１と、３つの箱部材７２と、を備える。
【００３０】
台紙７１は、紙材により形成され、図４Ａに示すように、シート状に形成される。台紙７１は、型紙６０のトラップ位置表示部６２（図３参照）の外形の形状と略同じ形状に形成され、一方側において、長方形の一対の角部が切り欠かれた段差形状に形成される。台紙７１の上面には、トラップ位置を表示するトラップ表示部７１ａが表示されている。
【００３１】
３つの箱部材７２は、図４Ａに示すように、台紙７１の上面に固定されている。３つの箱部材７２は、それぞれ、直方体形状に形成され、紙材を組み立てることにより形成されている。３つの箱部材７２は、排水トラップ４０が載置される立体載置台となるように適宜組み合わされて配置される。
【００３２】
具体的には、３つの箱部材７２は、排水トラップ４０の形状に合わせて、排水トラップ４０を下方から支持するように配置される。本実施形態では、図２に示すように、排水トラップ４０の幅方向の両側には、箱部材７２が配置されており、排水トラップ４０の長手方向の一方側には、排水トラップ４０の流出口４３への配管が配置されるため箱部材７２は配置されておらず、長手方向の他方側には、浴槽用流入口４２への配管が一部に配置されるため一部を開放した状態で箱部材７２が配置されている。
【００３３】
なお、トラップ設置枠体７０を３つの箱部材７２で構成したが、これに限定されない。トラップ設置枠体７０を、１つの立体的な箱部材で構成したり、２つ又は４つ以上の箱部材で構成してもよい。また、トラップ設置枠体７０を、紙材で構成しなくてもよく、例えば、樹脂材料や木材や金属や粘土などの部材で構成してもよい。また、トラップ設置枠体７０を、箱体で構成しなくてもよく、排水トラップ４０を位置決めすることができれば、例えば、板状体であってもよい。
【００３４】
また、トラップ設置枠体７０は、図６に示すように、スペーサ部材９０を備える。
スペーサ部材９０は、図６に示すように、トラップ設置枠体７０に設置される排水トラップの下方に配置され、排水トラップ４０の高さの位置を調整可能である。スペーサ部材９０には、紙材により構成される。スペーサ部材９０においては、排水トラップ４０を所定の高さに調整するために、紙材の枚数を調整可能である。
【００３５】
位置決めコーン８０は、型紙６０の水平方向の位置を決めるために用いられる。位置決めコーン８０は、型紙６０の水平方向の位置を決める場合に、型紙６０の目印表示部６１に配置される。
【００３６】
位置決めコーン８０は、図４Ｂに示すように、上方が尖った三角錐の一方側が開放した形状に形成される。位置決めコーン８０は、Ｌ字形状の底板８１と、２つの直角三角形状の垂直板８２と、を有する。２つの垂直板８２は、底板８１における直角を挟む外側の２辺から、それぞれ、立ち上がるように形成される。２つの垂直板８２は、２つの垂直板８２が直角に配置されるように、直角の部分の長辺同士が、接続されている。垂直板８２の外側の面は、垂直に立ち上がる垂直面８２ａを構成する。
【００３７】
例えば、図５に示すように、床材ユニット３０が設置される床スラブ１００と脱衣所１０２との間に高低差があって段差となっている場合において、位置決めコーン８０の垂直面８２ａから段差の側壁面１０１までの水平方向の距離が所定距離Ｌとなるように、型紙６０を移動させる。これにより、型紙６０を浴室１の所定の設置箇所に配置することができる。
【００３８】
次に、図５〜図８を参照して、浴室施工用の型紙を用いて浴室１の床構造１０を施工する方法について説明する。
まず、図５に示すように、型紙６０の目印表示部６１に位置決めコーン８０を接着部材などで接着して設置する。作業者は、目印表示部６１に設置された位置決めコーン８０を用いて、型紙６０を浴室１の所定の設置箇所に配置する（第１工程）。
具体的には、例えば、床材ユニット３０が設置される床スラブ１００と脱衣所１０２との間に高低差があって段差となっている場合において、位置決めコーン８０の垂直面８２ａから段差の側壁面１０１までの水平方向の距離が所定距離Ｌとなるように、型紙６０を移動させる。これにより、型紙６０を浴室１の所定の設置箇所に配置することができる。型紙６０を浴室１の所定の設置箇所に配置した後に、位置決めコーン８０を取り外す。
【００３９】
次に、図６に示すように、型紙６０のトラップ位置表示部６２にトラップ設置枠体７０を配置する。続けて、排水トラップ４０を、トラップ設置枠体７０に設置する。これにより、排水トラップ４０を、型紙６０のトラップ位置表示部６２に設置する（第２工程）。
【００４０】
その後、図７に示すように、排水トラップ４０の流出口４３に排水パイプ４４を接続する。そして、排水パイプ４４を、脚部設置穴６３を避けるように配管して設置する（第３工程）。
【００４１】
続けて、床材ユニット３０を設置する。床材ユニット３０を設置する際には、床材ユニット３０の支持脚部２３を脚部設置穴６３（脚部位置表示部）に設置する（第４工程）。ここで、排水パイプ４４を、脚部設置穴６３を避けるように設置している。そのため、床材ユニット３０が設置された場合において、排水パイプ４４は、床材ユニット３０の支持脚部２３が配置される位置を避けた位置に配置されている。これにより、排水パイプ４４を避けて、支持脚部２３を設置できる。
【００４２】
この状態で、型紙６０、トラップ設置枠体７０及びスペーサ部材９０を、床材ユニット３０を少し上方に持ち上げて、取り外すことができる。なお、浴室１の床構造１０の施工後において、型紙６０、トラップ設置枠体７０及びスペーサ部材９０を取り外さずに、そのままの状態で配置していても、浴室１の床構造１０としては問題はない。本実施形態では、型紙６０、トラップ設置枠体７０及びスペーサ部材９０を、そのままの状態で配置している。
【００４３】
次に、図８に示すように、排水トラップ４０を床材ユニット３０に固定する。具体的には、まず、床材ユニット３０の排水口２１ａの内面のねじ溝に、外周面にねじ溝が形成された環状のパッキン９３を螺合させる。この状態で、パッキン９３の上方側にワッシャ９２を配置し、排水トラップ４０と床材ユニット３０とを固定部材９１により固定する。固定部材９１は、上下方向に延び且つ外面にねじ溝が形成される筒状部９１ｂと、筒状部９１ｂの上部において径方向に円環状に突出するフランジ部９１ａと、を有する。固定部材９１の筒状部９１ｂをワッシャ９２及びパッキン９３に挿入して、固定部材９１のフランジ部９１ａがワッシャ９２を介してパッキン９３を押圧した状態で、筒状部９１ｂのねじ溝の先端を排水トラップ４０の洗い場用流入口４１の内周のねじ溝に螺合させる。これにより、排水トラップ４０を床材ユニット３０に固定することができる。
【００４４】
以上のように、浴室施工用の浴室施工キット５０を用いて、浴室１の床構造１０を施工できる。
【００４５】
本実施形態によれば、以下の効果が奏される。
本実施形態の型紙６０は、排水トラップ４０と、床材２１及び床材２１に接続される支持脚部２３を有する床材ユニット３０と、を設置するために用いられる浴室施工用の型紙６０であって、型紙６０の水平方向の設置箇所の指標となる目印表示部６１と、排水トラップ４０を設置する位置を表示するトラップ位置表示部６２と、支持脚部２３を設置する位置を表示する脚部設置穴６３と、を備える。
そのため、型紙６０を所定の設置箇所に配置して、排水トラップ４０をトラップ位置表示部６２に設置し、支持脚部２３を脚部設置穴６３に設置することで、排水トラップ４０を所定の配置位置に設置した状態で、床材ユニット３０を設置できる。よって、排水トラップ４０を所定の配置位置に設置できるため、浴室１の床構造１０を施工する際の作業性を向上できる。従って、浴室構造の違いによらず、なんら浴室構造に変化を加えることなく、排水トラップ４０及び床材ユニット３０を設置する際の浴室１の施工に関して作業性を向上できる。
また、脚部設置穴６３を避けるように、排水トラップ４０に接続する排水パイプ４４を設置できるため、支持脚部２３を有する床材ユニット３０を設置する際の作業性を向上できる。
【００４６】
従来、浴室１の床構造１０に関して、フレーム２０と床材２１（例えばタイル材）とが床材ユニット３０として一体化して形成される場合に、排水トラップ４０を設置した後に、フレーム２０と床材２１とが一体化された床材ユニット３０を排水トラップ４０の上方に設置していた。そのため、フレーム２０と床材２１とが別体で形成され、フレーム２０を先に設置して排水トラップ４０を後に設置する場合と比べて、フレーム２０との位置関係で排水トラップ４０を設置する位置を決定することができず、排水トラップ４０を所定の配置位置に設置することが難しかった。これに対して、本発明によれば、フレーム２０と床材２１とが床材ユニット３０として一体化して形成される場合であっても、床材ユニット３０を設置する前に、排水トラップ４０を、型紙６０のトラップ位置表示部６２に設置することで所定の配置位置に設置できる。そのため、浴室１の床構造１０を施工する際の作業性をより向上できる。
【００４７】
また、本実施形態の型紙６０においては、脚部設置穴６３は、貫通穴である。そのため、支持脚部２３を脚部設置穴６３に配置しても、支持脚部２３は、型紙６０には接触しない。これにより、型紙６０の位置ずれに起因する排水トラップ４０が移動することを抑制できる。
【００４８】
また、本実施形態の浴室施工キット５０は、浴室施工用の型紙６０と、トラップ位置表示部６２に配置され、排水トラップ４０の水平方向の位置を規制するトラップ設置枠体７０と、を備える。そのため、トラップ設置枠体７０に排水トラップ４０を設置するだけで、排水トラップ４０を水平方向において設置位置に配置できる。これにより、浴室１の床構造１０を施工する際の作業性をより向上できる。
【００４９】
また、本実施形態の浴室施工キット５０は、トラップ設置枠体７０は、排水トラップ４０の高さの位置を調整可能である。そのため、排水トラップ４０の上下方向の位置を調整して、排水トラップ４０を床材ユニット３０に取り付けることができる。これにより、浴室１の床構造１０を施工する際の作業性をより向上できる。
【００５０】
また、本実施形態の浴室施工キット５０は、浴室施工用の型紙６０と、目印表示部６１に配置され、垂直に立ち上がる垂直面８２ａを有し、型紙６０の水平方向の位置を決めるために用いられる位置決めコーン８０と、を備える。
そのため、型紙６０の上方において、型紙６０の水平方向の位置を決めることができる。特に、段差がある場合の側壁面１０１との水平方向の距離Ｌを調整する場合に、位置決めコーン８０の垂直面８２ａから側壁面１０１までの水平方向の距離Ｌを調整して、型紙６０の水平方向の位置決めを容易に行うことができる。これにより、浴室１の床構造１０を施工する際の作業性をより向上できる。
【００５１】
また、本実施形態の浴室の施工方法では、目印表示部６１に基づいて、型紙６０を浴室１の所定の設置箇所に配置する第１工程と、排水トラップ４０を型紙６０のトラップ位置表示部６２に設置する第２工程と、排水トラップ４０に接続される排水パイプ４４を、脚部設置穴６３を避けるように設置する第３工程と、床材ユニット３０の支持脚部２３を脚部設置穴６３に設置する第４工程と、を備える。
そのため、従って、浴室構造の違いによらず、なんら浴室構造に変化を加えることなく、浴室１の床構造１０を施工する際の作業性を向上できる。
【００５２】
なお、本発明は上記実施形態に限定されるものではなく、本発明の目的を達成できる範囲での変形、改良等は本発明に含まれる。
例えば、上記実施形態では、型紙６０を紙材で形成した。この場合に、防水加工を施した紙材などの防水シートを使用してもよい。型紙６０として防水シートを使用する場合には、紙材シートの外周縁を上部に折り返すと共に、脚部設置穴６３の周縁を上部に折り返すことで、型紙６０の上部に水を溜める構成として、防水効果を得ることができる。
【００５３】
上記実施形態では、浴室施工キット５０は、トラップ設置枠体７０を備える構成としたが、これに限定されない。浴室施工キット５０は、トラップ設置枠体７０を備えていなくてもよく、型紙６０のみの構成であってもよい。トラップ設置枠体７０を備えていない場合には、型紙６０のトラップ位置表示部６２に、排水トラップ４０を直接設置してもよい。
【符号の説明】
【００５４】
１…浴室
２０…フレーム
２１…床材
２３…支持脚部（脚部）
３０…床材ユニット
４０…排水トラップ
４４…排水パイプ（排水管）
５０…浴室施工キット
６０…型紙
６１…目印表示部
６２…トラップ位置表示部
６３…脚部設置穴（脚部位置表示部）
７０…トラップ設置枠体
８０…位置決めコーン（位置決め部材）
８２ａ…垂直面
【図１】
0006559564.tif 000002
【図２】
0006559564.tif 000003
【図３】
0006559564.tif 000004
【図４Ａ】
0006559564.tif 000005
【図４Ｂ】
0006559564.tif 000006
【図５】
0006559564.tif 000007
【図６】
0006559564.tif 000008
【図７】
0006559564.tif 000009
【図８】
0006559564.tif 000010